(57)【要約】      （修正有）【課題】大型の鉛蓄電池を複数個、直列に接続して用いる鉛蓄電池システムの放熱を良好にして、長寿命な鉛蓄電池システムを提供する。【解決手段】電槽4の側面に、上下方向に、高さが５ｍｍで幅が１０ｍｍの凸部を有するリブ2を多数を設けるとともに、電槽4の四方の側面に金属箔6、例えば鉛箔を貼り付けたクラッド式鉛蓄電池を作製する。そして、リブ2の部分が互いに対向するように電池容器8内に設置する。さらに、金属箔6と電槽4のリブ2によって形成される凹部との隙間に、金属製の放熱用のパイプを設置する。【選択図】          図１
2005019051.tif 000002
【特許請求の範囲】
【請求項１】
電池容器内に複数個の鉛蓄電池を組み込み、該鉛蓄電池を直列に接続して使用をする鉛蓄電池システムにおいて、前記鉛蓄電池の電槽の側面には、リブが形成されており、該リブの部分が互いに対向するように前記電池容器に設置されており、前記リブの周囲には金属箔が貼り付けられていることを特徴とする鉛蓄電池システム。
【請求項２】
前記リブによって形成される電槽の凹部と、前記金属箔との間には、放熱用のパイプが設置されていることを特徴とする請求項１記載の鉛蓄電池システム。
【発明の詳細な説明】
【０００１】
【発明の属する技術分野】
本発明は、複数個の鉛蓄電池を電池容器内に組み込んで使用する鉛蓄電池システムに関するものである。
【０００２】
【従来の技術】
電動式フォークリフトには、図４に示すような数十個の鉛蓄電池１を鉄製の電池容器８に組み込んで直列に接続をした鉛蓄電池システムが使用されている。これらの鉛蓄電池１は、設置場所である電池容器８のコンパクト化を図るために、互いに近接した状態で配列されている。
【０００３】
これらの、電池容器８内の鉛蓄電池１は、近接した状態で使用されているために放熱されにくい。そして、周囲温度が高い場合や、内部の対流が不十分な状態で継続して使用がされると、それぞれの鉛蓄電池の温度が過剰に上がり、早期に寿命になるという問題点があった。
【０００４】
この対策として、図２に示すように、鉛蓄電池１の電槽４の側面にストライプ状のリブ２などの突出部を多数設けて、放熱面積を増加させる検討がされている（例えば、特許文献１参照。）。
【０００５】
【特許文献１】
特開平９−３０６４３７号公報
【０００６】
【発明が解決しようとする課題】
しかしながら、上記したように電槽４の側面にリブ２などの突出部を設けて、放熱面積を増加させる手法は、比較的小型の鉛蓄電池には効果があるものの、電動式フォークリフトに用いるような比較的大型の鉛蓄電池を、複数個、密着させた状態で用いる鉛蓄電池システムの対策としては不十分であった。
【０００７】
本発明は上記した課題を解決するものであり、大型の鉛蓄電池を複数個、直列に接続して用いる鉛蓄電池システムの放熱を良好に行わせることによって、長寿命な鉛蓄電池システムを提供することにある。
【０００８】
【課題を解決するための手段】
上記した課題を解決するために、本発明では、鉄製の電池容器内に複数個の鉛蓄電池を組み込んで使用をする鉛蓄電池において、鉛蓄電池の側面にリブを設けるとともに、リブの部分に金属箔を貼り付け、該リブの部分が互いに対向するように電池容器内に設置することを特徴とするものである。
【０００９】
すなわち、請求項１の発明は、電池容器内に複数個の鉛蓄電池を組み込み、該鉛蓄電池を直列に接続して使用をする鉛蓄電池システムにおいて、前記鉛蓄電池の電槽の側面には、リブが形成されており、該リブの部分が互いに対向するように前記電池容器に設置されており、前記リブの周囲には金属箔が貼り付けられていることを特徴としている。
【００１０】
請求項２の発明は、請求項１の発明において、リブによって形成される電槽の凹部と、前記金属箔との間には、放熱用のパイプが設置されていることを特徴としている。
【００１１】
【発明の実施の形態】
以下に、本発明の実施の形態について説明する。
【００１２】
１．鉛蓄電池及び電池容器
以下において、一般的な電動式フォークリフトなどに用いられている、幅が１３５ｍｍ、長さが１５５ｍｍ、高さが４２０ｍｍで、２Ｖ―４００Ａｈ（公称容量）のクラッド式鉛蓄電池で実験した（図２）。
【００１３】
なお、クラッド式鉛蓄電池の電槽４や蓋５にはポリプロピレン樹脂を使用し、電槽４の側面には、上記した特許文献１と同様に、上下方向に、高さが５ｍｍで幅が１０ｍｍの凸部を有するリブ２を設けた。すなわち、側面に、上下方向にストライプ状をしたリブ２が多数形成されている電槽４を用いている。
図４に示されるような電池容器８として、幅が１０００ｍｍ、長さが６００ｍｍ、高さが４００ｍｍの従来から使用している寸法の鉄箱を用いた。そして、この電池容器８に計２４個（６行、４列）のクラッド式の鉛蓄電池１を組み込み、それぞれを直列に接続して鉛蓄電池システム（４８Ｖ−４００Ａｈ）を作製する。
【００１４】
２．鉛蓄電池のサイクル寿命試験
鉛蓄電池システムは、満充電状態まで充電をした後に、５℃の環境下で、１ＣＡ（４００Ａ）の電流で、終止電圧が１．６Ｖ／セル（３８．４Ｖ）まで放電して初期の放電容量（Ａｈ）を測定した。その後、サイクル寿命特性を測定した。
【００１５】
すなわち、満充電状態まで充電をした後、８０Ａ（０．２ＣＡ）で３．７５時間の放電を行う（定格容量の７５％放電）。次に、最大電流が８０Ａ（０．２ＣＡ）で、８．２５時間の通常の準定電圧充電をした。なお、この準定電圧充電によって、一般的には放電量の１１０〜１２０％が充電される。
【００１６】
この充放電を１サイクルとし、３００サイクル毎に５℃の環境下で、１ＣＡ（４００Ａ）の電流で、終止電圧が１．６Ｖ／セル（３８．４Ｖ）まで放電して放電容量（Ａｈ）を測定した。そして、初期の放電容量（Ａｈ）と、３００サイクル毎の放電容量（Ａｈ）とを、放電容量比率（％）という形で算出した。
【００１７】
【実施例】
以下に本発明の実施例を説明する。
（実施例１）
（実施例１）として、図２に示すように、幅が１３５ｍｍ、長さが１５５ｍｍ、高さが４２０ｍｍで、２Ｖ―４００Ａｈ（公称容量）のクラッド式鉛蓄電池を用いた。なお、クラッド式鉛蓄電池の電槽や蓋には材質としてポリプロピレン樹脂を使用し、電槽４の側面には、上記した特許文献１と同様に、上下方向に、高さが５ｍｍで幅が１０ｍｍの凸部を有するリブ２を設けた。すなわち、側面に、上下方向にストライプ状をしたリブ２が多数形成されている電槽４を用いている。
そして、図１に示すように、電槽４の四方の側面に金属箔６、例えば鉛箔を貼り付けたクラッド式鉛蓄電池を作製する。そして、図３に示すように、リブ２の部分が互いに対向するように電池容器８に設置した。このように、クラッド式鉛蓄電池を電池容器に設置することによって、必要な設置スペースを抑えるとともに、対流による放熱を良好にすることができる。その後、上記した手法で寿命試験をした。
（実施例２）
（実施例１）で使用した、電槽４の四方の側面に金属箔６、例えば鉛箔を貼り付けたクラッド式鉛蓄電池を用いる。そして、リブ２によって形成される電槽の凹部と、金属箔６との隙間に、図示されていない放熱用の金属製パイプを設置した。そして、図３に示すように、リブ２の部分が互いに対向するように電池容器８に設置した。その後、上記した手法で寿命試験をした。
（比較例）
比較例として、図２に示すように、幅が１３５ｍｍ、長さが１５５ｍｍ、高さが４２０ｍｍで、２Ｖ―４００Ａｈ（公称容量）のクラッド式鉛蓄電池を用いた。なお、図２に示すように、クラッド式鉛蓄電池の電槽４や蓋５にはポリプロピレン樹脂を使用し、電槽４の側面には、上記した特許文献１と同様に、上下方向に、高さが５ｍｍで幅が１０ｍｍの凸部を有するリブ２を設けた。すなわち、側面に、上下方向にストライプ状をしたリブ２が多数形成されている電槽４を用いている。そして、図３に示すように、リブ２の部分が互いに対向するように電池容器８に設置した。その後、上記した手法で寿命試験をした。
【００１８】
上記した条件で、寿命試験をした結果を図５に示す。図５より、本発明に係わる実施例１及び実施例２の鉛蓄電池システムは、従来の比較例に比べて長寿命であることがわかる。電槽４の周辺に金属箔を設けることにより、放熱されやすくなり、電池温度が均一化されたためと考えられる。加えて、実施例２のように金属性の放熱用のパイプを挿入することによって、さらに放熱されやすくなったためと考えられる。
【００１９】
ここで、詳細については省略したが、図４に示すように電槽４の四方の側面に金属箔６、例えば鉛箔を貼り付けたクラッド式鉛蓄電池を８個作製し、それを中央部のみに設置した場合でも、実施例１とほぼ同様の寿命特性を示した。鉛蓄電池システムの中央部の放熱がされやすくなったためと考えられる。すなわち、すべてのクラッド式鉛蓄電池の四方の側面に金属箔６がなくても、中央の８個に金属箔６で覆われていれば、放熱がされやすくできる。
【００２０】
【発明の効果】
上述したように、本発明を用いることによって、放熱がされやすくなり、鉛蓄電池システムを長寿命化することができるために工業的価値は非常に大きいものである。
【図面の簡単な説明】
【図１】本発明に係わる鉛蓄電池の概略図である。
【図２】従来の鉛蓄電池の概略図である。
【図３】本発明に係わる鉛蓄電池の設置状態の概略図である。
【図４】電池容器に鉛蓄電池を設置した状態の概略図である。
【図５】鉛蓄電池システムのサイクル寿命特性である。
【符号の説明】
１：鉛蓄電池、２：リブ、４：電槽、５：蓋、６：金属箔、
７：端子、８：電池容器、１０：注液栓、１１：凹部
【図１】
2005019051.tif 000003
【図２】
2005019051.tif 000004
【図３】
2005019051.tif 000005
【図４】
2005019051.tif 000006
【図５】
2005019051.tif 000007